(57)【要約】【課題】  任意の場所の色を他の場所と異なった色で表示する液晶パネルを有する車両用計器において、他の場所と異なる色で表示される場所での表示が行われていないときに、その色が見えないようにすることで液晶パネルの見栄えを向上させる。【解決手段】  画像を表示する液晶パネル１０と、光を発すると共に、液晶パネルを照射する白色ＬＥＤ２１と、画像のうち所望の点灯場所１７に対向する位置に配置される赤色ＬＥＤ２２と、中空筒形状であって、一端側が赤色ＬＥＤ２２から発せられる光を取り込むように赤色ＬＥＤ２２に対向すると共に、他端側が液晶パネル１０の点灯場所１７に対向するように配置される筒部材３０と、を備える。そして、液晶パネル１０の点灯場所１７を、赤色ＬＥＤ２２から発せられた光を筒部材３０の中空部分を通過させて照射する。【選択図】        図２
2006219007.tif 000002
【特許請求の範囲】
【請求項１】
画像を表示する液晶パネル（１０）と、
光を発すると共に、前記液晶パネルを照射する第１光源（２１）と、
前記第１光源から発せられる光の色と異なる色を発すると共に、前記画像のうち所望の点灯場所（１７）に対向する位置に配置される第２光源（２２）と、
前記第２光源から前記第１光源の方向に発せられる光を遮断すると共に、前記第２光源から発せられる光が前記点灯場所に照射されるように配置される壁（３０）と、を有していることを特徴とする車両用計器。
【請求項２】
前記壁の先端が、前記第２光源に隣接する前記第１光源と前記液晶パネルの前記点灯場所とを結ぶ線よりも前記第２光源側に位置していることを特徴とする請求項１に記載の車両用計器。
【請求項３】
前記第２光源と前記点灯場所との間にレンズ（３１）が設けられていることを特徴とする請求項１または２に記載の車両用計器。
【発明の詳細な説明】
【技術分野】
【０００１】
本発明は、液晶パネル（以下、ＬＣＤという）での文字や記号、物の形状（模様）等の表示のうちの一部の色を変えられる車両用計器に関する。
【背景技術】
【０００２】
従来より、ＬＣＤを用いた車両用計器が知られている。このような車両用計器においては、ＬＣＤの裏面から例えば発光ダイオード（以下、ＬＥＤと記す）で光を照射することで、ＬＣＤに表示された車速等の文字やギアの状態を示す記号がユーザに視認されるようになっている。
【０００３】
このような従来の車両用計器において、ＬＣＤに表示される文字や記号のうちの一部の色を変えて表示することが実施されている。図３は、従来の車両用計器のＬＣＤの断面図である。図３に示されるように、２枚のガラス１０ａ、１０ｂが重ね合わされて構成されるＬＣＤ１０において、色を変えて表示したい場所にカラーフィルタ６０が設けられている。このようなカラーフィルタ６０は、２枚のガラス１０ａ、１０ｂのうちいずれか一方に印刷されることで設けられる。そして、ＬＣＤ１０が図示しないＬＥＤに照射されると、ＬＣＤ１０においてカラーフィルタ６０が設けられた場所の色が、他の場所と異なった色で表示され、ユーザにその色の存在感を与えることができる。
【発明の開示】
【発明が解決しようとする課題】
【０００４】
しかしながら、上記従来の技術では、ＬＥＤでＬＣＤ１０を照射していない場合であっても、ＬＣＤ１０の中に色の付いた部分、すなわちカラーフィルタ６０の色が見えてしまい、ＬＣＤ１０の見栄えを損なっていた。つまり、ＬＣＤ１０が非表示の状態であっても、ＬＣＤ１０に色のついた場所がユーザに視認されることとなるため、ユーザに色のついた部分の存在感を与えてしまうこととなる。また、ＬＣＤ１０が非表示の状態であっても、色がついた場所が見えてしまうため、ユーザに誤解を与えてしまう可能性がある。
【０００５】
本発明は、上記点に鑑み、任意の場所の色を他の場所と異なった色で表示する液晶パネルを有する車両用計器において、他の場所と異なる色で表示される場所での表示が行われていないときに、その色が見えないようにすることで液晶パネルの見栄えを向上させることを目的とする。
【課題を解決するための手段】
【０００６】
上記目的を達成するため、請求項１に記載の発明では、画像を表示する液晶パネル（１０）と、光を発すると共に、液晶パネルを照射する第１光源（２１）と、第１光源から発せられる光の色と異なる色を発すると共に、画像のうち所望の点灯場所（１７）に対向する位置に配置される第２光源（２２）と、第２光源から第１光源の方向に発せられる光を遮断すると共に、第２光源から発せられる光が点灯場所に照射されるように配置される壁（３０）と、を有していることを特徴としている。
このように、液晶パネルにおいて、色を変えて表示したい点灯場所に対向する位置に第２光源を設置し、この第２光源と液晶パネルとの間に壁を設ける。そして、第２光源から第１光源の方向に発せられる光を、この壁で遮断し、第２光源から発せられる光を液晶パネルの点灯場所に照射する。これにより、液晶パネルの点灯場所に、第１光源の発する色と異なる色を表示させることができる。
【０００７】
また、第２光源が光を発していない場合、液晶パネルにおいて画像は第１光源のみで照射されることとなるため、第２光源の発する色がユーザに視認されることはなく、液晶パネルの見栄えを向上させることができる。同様に、液晶パネルの電源がオフの状態であっても、第２光源の電源もオフとなっているため、液晶パネルの見栄えを損なうことはなく、ユーザに誤解を与えないようにすることができる。
請求項２に記載の発明では、壁の先端が、第２光源に隣接する第１光源と液晶パネルの点灯場所とを結ぶ線よりも第２光源側に位置していることを特徴としている。このように、壁の高さを設定する。これにより、液晶パネルにおいて第２光源が照射される付近を第１光源の光で照射することができる。したがって、第２光源が照射される点灯場所付近が暗くならないようにすることができる。
請求項３に記載の発明では、第２光源と点灯場所との間にレンズ（３１）が設けられていることを特徴としている。これにより、第２光源から発せられる光を集光でき、点灯場所に指向性の高い光を照射することができる。
なお、上記各手段の括弧内の符号は、後述する実施形態に記載の具体的手段との対応関係を示すものである。
【発明を実施するための最良の形態】
【０００８】
（第１実施形態）
以下、本発明の第１実施形態について図を参照して説明する。なお、図３と同一部材には、同一番号を記してある。
【０００９】
図１は、本発明の一実施形態に係る車両用計器の正面図である。図２は、図１のＡ−Ａ断面図である。図１に示されるように、車両用計器は、ＬＣＤ１０を備えており、このＬＣＤ１０にて、例えばギア位置１１が表示されるようになっている。このようなＬＣＤ１０は、図２に示されるように、２枚のガラス１０ａ、１０ｂと、この２枚のガラス１０ａ、１０ｂに挟まれた図示しない液晶と、を備えて構成されている。ＬＣＤ１０に設けられたギア位置１１においては、各ギア１２〜１５の隣にギアがどの位置にあるのかを示す点灯場所１６〜１９がそれぞれ設けられている。
【００１０】
また、車両用計器は、図２に示されるように、プリント配線基板２０と、筒部材３０と、ケース４０と、拡散板５０と、を備えている。
【００１１】
プリント配線基板２０は、ＬＣＤ１０および拡散板５０に対向する面に複数の光源（ＬＥＤ）２１、２２を備えている。このようなプリント配線基板２０においては、例えばＬＣＤ１０のギア位置１１においてパーキング（Ｐ）１２やニュートラル（Ｎ）１４、そしてドライブ（Ｄ）１５のギア位置に対応する点灯場所１６、１８、１９に対向する位置に例えば白色ＬＥＤ２１が配置される。また、リバース（Ｒ）１３のギア位置に対応する点灯場所１７に対向する位置に例えば赤色ＬＥＤ２２が配置されている。つまり、本実施形態では、リバース（Ｒ）１３のギア位置に対応する点灯場所１７のみ赤色で表示するのである。
【００１２】
なお、白色ＬＥＤ２１は本発明の第１光源に相当し、赤色ＬＥＤ２２は本発明の第２光源に相当する。
【００１３】
筒部材３０は、赤色ＬＥＤ２２から発せられる光を、ＬＣＤ１０のギア位置１１においてリバース（Ｒ）１３の点灯場所１７に導くものであり、筒形状をなしている。この筒部材３０は、プリント配線基板２０と拡散板５０との間の空間に配置され、筒内部に赤色ＬＥＤ２２の光を集光するレンズ３１を備えている。このような筒部材３０は、例えばポリプロピレンにてモールド成形される。なお、筒部材３０は本発明の壁に相当する。
【００１４】
レンズ３１は、筒部材３０の中空部分におい赤色ＬＥＤ２２側に設けられている。これにより、赤色ＬＥＤ２２から発せられる光をロスすることなく集光できるようになっている。また、レンズ３１は、光を集光することで、狙った点灯場所１７以外の場所、例えばリバース（Ｒ）１３の文字を赤色表示することを防止する役割も果たす。
【００１５】
図２に示されるように、筒部材３０の先端は、白色ＬＥＤ２１と点灯場所１７とを結ぶ線よりも赤色ＬＥＤ２２側に位置している。このように筒部材３０の先端位置を設定することで、白色ＬＥＤ２１から発せられる光を点灯場所１７付近に導くことができるようになっている。これにより、点灯場所１７に付近、特にリバース（Ｒ）１３の文字が暗くなってしまうことを防止している。
【００１６】
ケース４０は、ＬＣＤ１０、プリント配線基板２０、筒部材３０、そして拡散板５０を収納するものである。また、拡散板５０は、各ＬＥＤ２１、２２から照射される光を散乱させるものであり、ＬＣＤ１０に密着固定されている。このような拡散板５０は、例えばアクリルで形成され、しぼ加工等により拡散面が形成されている。以上が、本実施形態に係る車両用計器の構成である。
【００１７】
次に、上記車両用計器において、リバース（Ｒ）１３の点灯場所１７が、他の場所の色と異なって表示される作動について説明する。まず、車両用計器において、白色ＬＥＤ２１が点灯される。そして、ＬＣＤ１０に文字画像が表示される。すなわち、ＬＣＤ１０において文字となる部分の光透過率が上げられる。したがって、その文字部分を光が透過する。これにより、ＬＣＤ１０に表示された文字がユーザに視認される。
【００１８】
そして、ユーザによってギアがリバースに操作されると、ＬＣＤ１０にリバース（Ｒ）１３が文字表示されると共に、赤色ＬＥＤ２２が点灯される。このとき、赤色ＬＥＤ２２から発せられた光は、筒部材３０のレンズ３１にて集光されると共に、拡散板５０を通過してＬＣＤ１０の点灯場所１７に導かれる。これにより、ＬＣＤ１０において、リバース（Ｒ）１３の隣の点灯場所１７のみが赤色で表示される。
【００１９】
ここで、筒部材３０の先端が、上述のように赤色ＬＣＤ２２に隣接する白色ＬＣＤ２１と点灯場所１７とを結ぶ線よりも赤色ＬＥＤ２２側に位置するように設定されている。このため、点灯場所１７が赤色で表示されると同時に、白色ＬＥＤ２１によって点灯場所１７の隣に位置するリバース（Ｒ）１３の文字が白色で確実に表示される。
【００２０】
なお、筒部材３０の中空部分にレンズ３１を設けられているので、赤色ＬＥＤ２２から発せられる光を集光でき、筒部材３０の他端側に対向するＬＣＤ１０に指向性の高い光を照射することができる。
【００２１】
また、リバース（Ｒ）１３を文字表示しない場合には、ＬＣＤ１０に表示されるリバース（Ｒ）１３以外の文字が白色ＬＥＤ２１で照明されるため、ユーザに対してＬＣＤ１０に色のついた部分を見せないようにすることができ、ＬＣＤ１０の見栄えを向上できる。
以上、説明したように、本実施形態は、ＬＣＤ１０において、色を変えて表示したい点灯場所１７に対向する位置に赤色ＬＥＤ２２を設置し、この赤色ＬＥＤ２２とＬＣＤ１０との間に筒部材３０を設置する。そして、赤色ＬＥＤ２２から発せられる光を、この筒部材３０を通過させてＬＣＤ１０に照射する。これにより、ＬＣＤ１０において、点灯場所１７を白色ＬＥＤ２１の発する色と異なる色で表示させることができる。
つまり、赤色ＬＥＤ２２から白色ＬＥＤ２１の方向に発せられる光を、この筒部材３０の内壁面で遮断し、赤色ＬＥＤ２２から発せられる光をＬＣＤ１０の点灯場所１７に照射することで、点灯場所１７のみ色を変えて表示できるのである。
また、赤色ＬＥＤ２２が光を発していない場合、ＬＣＤ１０において画像は白色ＬＥＤ２１のみで照射されることとなるため、赤色ＬＥＤ２２の発する色がユーザに視認されることはなく、ＬＣＤ１０の見栄えを向上させることができる。
【００２２】
（他の実施形態）
上記第１実施形態では、例えばギア位置１１のリバース（Ｒ）１３に対応する点灯場所１７のみを赤色で表示するようにしているが、この点灯場所は限定されるものではなく、場所や設置数を任意に決めることができる。また、ＬＥＤの発光色も、赤色に限定されるものではなく、表示させたい色のＬＥＤを採用すれば良い。
【００２３】
上記第１実施形態では、筒部材３０は、単体で用意されているが、ケース４０に一体化させても構わない。また、筒部材３０の中空部分に固定されるレンズ３１の位置は、図２に示されるように赤色ＬＥＤ２２側に限定されるわけではなく、拡散板５０側に固定しても構わない。ただし、赤色ＬＥＤ２２から発せられる光をロスすることなく集光するためには、筒部材３０の中空部分におい赤色ＬＥＤ２１側に固定することが望ましい。
【００２４】
さらに、上述のように、筒部材３０の形状は筒形状となっているが、その外形はどんな形状であっても構わない。つまり、赤色ＬＥＤ２２に隣接して配置された白色ＬＥＤ２１から発せられる光を遮断しない高さであれば良い。
【図面の簡単な説明】
【００２５】
【図１】本発明の一実施形態に係る車両用計器の正面図である。
【図２】図１のＡ−Ａ断面図である。
【図３】従来の車両用計器の液晶パネルの断面図である。
【符号の説明】
【００２６】
１０…液晶パネル（ＬＣＤ）、１１…ギア位置、１２〜１５…文字、
１６〜１９…点灯場所、２０…プリント配線基板、
２１、２２…発光ダイオード（ＬＥＤ）、３０…筒部材、３１…レンズ
４０…ケース、５０…拡散板。
【図１】
2006219007.tif 000003
【図２】
2006219007.tif 000004
【図３】
2006219007.tif 000005